(57)【要約】【課題】無駄に排出される水の量を低減すると共に、給水や排水の各経路の簡素化を得る。【解決手段】本体１０の内部に、複数の製氷機構１２が上下方向に多段で配設される。各製氷機構１２の製氷水タンク２０の内部には、製氷水の貯留量を規定するオーバーフロー管３０が配設される。オーバーフロー管３０には、下段の製氷機構１２における製氷水タンク２０に、オーバーフロー管３０から排出される余剰水を供給する供給管３２が連通接続される。すなわち、最上段の製氷水タンク２０に水道水が供給されると、オーバーフロー管３０から排出される余剰水が順次、下段の製氷水タンク２０に供給され、最下段の製氷水タンク２０のみから機外に余剰水が排出される。【選択図】図１
2007046874.tif 000002
【特許請求の範囲】
【請求項１】
オーバーフロー手段(30)により製氷水の貯留量が規定される製氷水タンク(20)を有する複数の製氷機構(12)を多段で備える自動製氷機において、
上段の製氷機構(12)における製氷水タンク(20)のオーバーフロー手段(30)から排出される余剰水を、下段の製氷機構(12)の製氷水タンク(20)に供給管(32)を介して供給するよう構成した
ことを特徴とする自動製氷機。
【請求項２】
前記供給管(32)における水出口(32a)を、下段の製氷水タンク(20)における内部底面近傍に臨ませた請求項１記載の自動製氷機。
【請求項３】
所定量の製氷水を貯留する製氷水タンク(20)を有する複数の製氷機構(12)を多段で備える自動製氷機において、
上段の製氷機構(12)の製氷水タンク(20)に製氷水を供給し、該タンク(20)からオーバーフローした製氷水を、下段の製氷機構(12)の製氷水タンク(20)に供給するようにした
ことを特徴とする自動製氷機の給水方法。
【発明の詳細な説明】
【技術分野】
【０００１】
本発明は、複数の製氷機構を多段で備える自動製氷機およびその給水方法に関するものである。
【背景技術】
【０００２】
氷塊を連続的に製造する自動製氷機は、製氷運転に際して冷凍装置により強制冷却されている製氷部に、製氷水タンクに貯留してある製氷水を、噴射方式または流下方式により供給することで氷塊を生成するよう構成される。そして、製氷運転から除氷運転に移行することで、製氷部を加熱して氷塊を融解離脱させると共に、前記製氷水タンクに次回の製氷水として使用する水道水を供給するようになっている。このような自動製氷機において、大きな製氷能力を得るため、スタックオンタイプ等のように、製氷水タンクおよび製氷部を備える複数の製氷機構を多段で配設したものが提案されている(例えば、特許文献１参照)。
【０００３】
前述したように複数の製氷機構を多段で配設した自動製氷機では、除氷運転に移行した際(製氷運転の完了後)に製氷水タンクへ水道水(製氷水)を供給するための供給経路として、外部水道源に接続する給水管に介挿した給水弁の下流側に、各製氷機構の製氷水タンクに連通する分岐管を夫々設け、給水管に供給される水道水を、各分岐管を介して対応する製氷水タンクに夫々供給する構成が採用される。
【０００４】
ここで、製氷運転の完了時に製氷水タンクに残る製氷水(製氷残水)は、水道水に含まれるカルキやカルシュウム等の不純物が濃縮し、製氷−除氷の運転サイクルが繰り返されるにつれて製氷残水の不純物濃度が高くなり、この影響で白濁氷が生成される問題を招くおそれがある。そこで、除氷運転に移行した際に供給される水道水の量を、製氷水タンクに配設されるオーバーフロー管で規定される容量より多く設定し、新たに供給される多量の水道水により不純物濃度を希釈すると共に余剰水をオーバーフロー管を介して機外に排出するようにしている。
【特許文献１】特開２００１−２４８９４６号公報
【発明の開示】
【発明が解決しようとする課題】
【０００５】
前述したように、製氷機構の製氷水タンクには、除氷運転に移行する都度、多量の水道水を供給するよう設定しているから、複数の製氷機構を多段で配設した自動製氷機の場合は、各製氷機構毎に多量の水道水を必要とするため、無駄に排出される余剰水の量も極めて多くなり、不経済であった。
【０００６】
また、前記製氷水タンクに水道水を供給するための分岐管や、前記オーバーフロー管を介して排出される余剰水の排出管等を、各製氷機構毎に設ける必要がある。すなわち、各製氷機構に対する製氷水の供給経路と、余剰水の排出経路とを製氷機構の数だけ設ける必要があり、製造コストが嵩む難点が指摘される。更に、複数の製氷水タンクからの排水を受容して機外に排出するためのドレンパンが大型となり、これもコストの上昇を招く要因となっている。
【０００７】
すなわちこの発明は、従来の技術に内在する前記課題に鑑み、これらを好適に解決するべく提案されたものであって、無駄に排出される水の量を低減すると共に、給水や排水の各経路の簡素化を図り得る自動製氷機およびその給水方法を提供することを目的とする。
【課題を解決するための手段】
【０００８】
前記課題を克服し、所期の目的を好適に達成するため、本願の請求項１の発明に係る自動製氷機は、
オーバーフロー手段により製氷水の貯留量が規定される製氷水タンクを有する複数の製氷機構を多段で備える自動製氷機において、
上段の製氷機構における製氷水タンクのオーバーフロー手段から排出される余剰水を、下段の製氷機構の製氷水タンクに供給管を介して供給するよう構成したことを特徴とする。
この請求項１の発明によれば、上段の製氷水タンクからの余剰水を、下段の製氷水タンクへ供給するよう構成したから、最下段の製氷水タンク中の製氷水の不純物濃度を適正に希釈し得る量の余剰水のみを排出すればよく、各製氷機構毎に多量の製氷水(水道水)を供給する必要はなく、自動製氷機全体としての製氷水の排出量を低減することができる。すなわち、給水量を低減して、ランニングコストを低廉に抑えることができる。また、余剰水を上段から下段に供給する供給管が、給水経路および排水経路を構成するから、各製氷機構毎に給水経路および排水経路を設ける必要はなく、構成が簡単になって製造コストを低廉に抑え得る。
【０００９】
請求項２の発明は、前記供給管における水出口を、下段の製氷水タンクにおける内部底面近傍に臨ませるようにした。
この請求項２の発明によれば、上段の製氷水タンクから下段の製氷水タンクに供給される余剰水により、下段の製氷水タンク底面に溜っている不純物を攪拌してオーバーフロー手段から効率的に排出することができ、製氷水における不純物濃度を低くし得る。
【００１０】
また前記課題を克服し、所期の目的を好適に達成するため、本願の請求項３の発明に係る自動製氷機の給水方法は、
所定量の製氷水を貯留する製氷水タンクを有する複数の製氷機構を多段で備える自動製氷機において、
上段の製氷機構の製氷水タンクに製氷水を供給し、該タンクからオーバーフローした製氷水を、下段の製氷機構の製氷水タンクに供給するようにしたことを特徴とする。
この請求項３の発明によれば、上段の製氷水タンクからオーバーフローした製氷水を下段の製氷水タンクへ供給することで、最下段の製氷水タンク中の製氷水の不純物濃度を適正に希釈し得る量の余剰水のみを排出すればよく、製氷水の排水量を低減することができる。すなわち、給水量を低減して、ランニングコストを低廉に抑えることができる。また、各製氷機構毎に給水経路や排水経路を設ける必要はなく、構成を簡略化して製造コストを低廉に抑え得る。
【発明の効果】
【００１１】
本発明に係る自動製氷機およびその給水方法によれば、無駄に排出される水の量が低減するから、ランニングコストを抑えることができる。また、給水や排水の各経路を簡素化し得るから、製造コストを低廉に抑えることができる。
【発明を実施するための最良の形態】
【００１２】
次に、本発明に係る自動製氷機およびその給水方法につき、好適な実施例を挙げて、添付図面を参照して以下に説明する。
【実施例１】
【００１３】
実施例１に係る自動製氷機は、図１に示す如く、枠状の本体１０の内部に、複数の製氷機構１２が上下方向に多段で配設されている。なお、実施例１では、製氷機構１２を、本体１０の前後に２列で上下に４段で配設しているが、その列数および段数はこれに限定されるものではない。本体１０の側部には機械室が画成され、該機械室内に、圧縮機や凝縮器等からなる冷凍装置(何れも図示せず)が配置され、該冷凍装置から各製氷機構１２に配設した蒸発管１４に冷媒が夫々循環供給されるよう構成される。
【００１４】
前記自動製氷機に配設される各製氷機構１２の構成は同一であるので、本体１０の前側最上段に配設される製氷機構１２の構成についてのみ説明し、他の製氷機構１２の同一部材には同じ符号を付して示すものとする。
【００１５】
前記製氷機構１２は、図２に示す如く、前記冷凍装置に接続する蒸発管１４が上面に蛇行配置されると共に、下方に開放した多数の製氷小室１６ａを画成した製氷部１６を備え、該製氷部１６が本体１０に設けられた取付枠１８に水平姿勢で配設されている。この製氷部１６の下方には、所定量の製氷水が貯留される製氷水タンク２０が所定間隔離間して設置される。そして、製氷水タンク２０に貯留されている製氷水は、製氷部１６に向けて製氷水を噴射供給するための散水パイプ２２に、循環ポンプ(図示せず)を介して供給されるよう構成される。なお、散水パイプ２２の上方には、水平姿勢から所定角度だけ前側(本体１０の後側に配設される製氷機構１２においては後側)が下方傾斜する傾斜姿勢で氷塊案内板２４が配設され、製氷部１６から落下した氷塊Ｍを前方(または後方)に向けて滑落させ得るようにしてある。
【００１６】
前記散水パイプ２２の上面に、各製氷小室１６ａに対応する小径の噴射孔が穿設されると共に、前記氷塊案内板２４に、噴射孔から噴射される製氷水の通過を許容するスリット(図示せず)が形成されている。すなわち、製氷運転に際して、前記循環ポンプによって散水パイプ２２に供給された製氷水を、各噴射孔およびスリットを介して各製氷小室１６ａ内に噴射供給して、各製氷小室１６ａ内に氷塊Ｍを生成するよう構成される。なお、製氷小室１６ａ内で氷結しなかった未氷結水は、氷塊案内板２４のスリットを介して製氷水タンク２０に回収するようになっている。
【００１７】
前記製氷機構１２には、前記製氷部１６の配設位置より前方(または後方)で、前記氷塊案内板２４の前端部上方に氷放出口２６が開設され、該氷放出口２６を介して製氷機構１２で製造された氷塊Ｍが前方(または後方)に放出されて、本体１０の下方に配設した図示しない貯氷庫に貯留されるようになっている。なお、氷放出口２６は、常には自重により垂下しているシャッター２８で閉成されており、除氷運転に際して、前記製氷部１６から落下して氷塊案内板上を滑落する氷塊Ｍにより該シャッター２８が押されることで傾動して氷放出口２６を開放するよう構成される。
【００１８】
前記製氷機構１２における製氷水タンク２０の内部には、オーバーフロー手段としてのオーバーフロー管３０が配設され、該オーバーフロー管３０の上部開口位置によって、製氷水タンク２０に貯留される製氷水(水道水)の貯留量(Ｎ量)が規定されるようになっている。このオーバーフロー管３０には、図１に示す如く、下段の製氷機構１２における製氷水タンク２０の上方まで延出する供給管３２が連通接続されており、規定水位を越えてオーバーフロー管３０から排出される製氷水(余剰水)を、供給管３２を介して下段の製氷水タンク２０に供給するよう構成してある。すなわち、最上段の製氷水タンク２０からの余剰水が上から２段目の製氷水タンク２０に供給され、該２段目の製氷水タンク２０からの余剰水が上から３段目の製氷水タンク２０に供給され、更に３段目の製氷水タンク２０からの余剰水が最下段の製氷水タンク２０に供給されるよう構成される。言い替えると、最上段の製氷水タンク２０からの余剰水が、下段側の製氷水タンク２０に順次供給されるようになっている。なお、実施例１では、前後の列において、夫々の列毎に上から下に余剰水が供給されるよう構成してある。また各供給管３２は、その水出口３２ａが、前記オーバーフロー管３０の上部開口から離間する製氷水タンク２０の上方に位置するように、対応する製氷機構１２に配設したブラケット３４に取付けられている。但し、最下段の製氷水タンク２０のオーバーフロー管３０に接続する供給管３２は、後述するドレンパン４０の上方に水出口３２ａが臨むよう構成され、該製氷水タンク２０からの余剰水はドレンパン４０に排出されるようになっている。
【００１９】
前記本体１０の上部に、外部水道源に接続する給水管３６が連通接続される給水弁ＷＶが配設され、該給水弁ＷＶに分岐管３８の直線部３８ａが連通接続されている。この分岐管３８は、図３に示す如く、前記直線部３８ａと、該直線部３８ａの下端から２方向(製氷機構群の列に対応する前後方向)に分かれる分岐部３８ｂ,３８ｂとからＹ字状に形成され、給水管３６および給水弁ＷＶを介して直線部３８ａに供給される水道水を、分岐部３８ｂ,３８ｂにより前後に分岐するよう構成される。なお、分岐部３８ｂ,３８ｂにおける管内側の接続部分(直線部３８ａと対向する部分)が鋭角となっており、直線部３８ａから流れてくる水道水の流れを各分岐部３８ｂにスムーズに分けて、両分岐部３８ｂ,３８ｂに均等に水道水が分かれるようになっている。
【００２０】
前記分岐管３８における各分岐部３８ｂは、前列あるいは後列における最上段の製氷機構１２における製氷水タンク２０の上方に、対応する製氷機構１２に配設したブラケット３４を介して、その水出口がオーバーフロー管３０の上部開口から離間する位置に臨むように取付けられる。すなわち、分岐管３８に供給された水道水は、各分岐部３８ｂを介して最上段の製氷水タンク２０に供給されるよう構成される。そして、各列に製氷機構１２が４段で配設された実施例１の自動製氷機では、初回の給水時には、(８×Ｎ＋α)リットルの量の水道水が供給されるように、給水弁ＷＶが開閉制御され、次回以降における製氷運転から除氷運転に移行した際の給水時には、(８×Ｍ＋β)リットルの量の水道水が供給されるように、給水弁ＷＶが開閉制御されるよう設定してある。
【００２１】
ここで、８つの製氷水タンク２０に規定量(Ｎ量)だけ供給するのであれば、水道水の供給量は、(８×Ｎ)リットルであればよいが、初回の給水については余裕を持ってαリットル(例えば、１リットル程度でよいがこの数値に限らない)だけ余分に供給するようにしている。また次回以降の給水については、製氷運転により氷塊Ｍが生成することで減少する製氷水の量をＭとすると、製氷運転完了時に製氷水タンク２０には(Ｎ−Ｍ)リットルの製氷残水があるから、水道水の供給量は、(８×Ｍ)リットルであればよいが、製氷運転完了時に製氷水タンク２０に残留している製氷水の不純物濃度を希釈するために、β量分だけ余分に供給して、製氷水の不純物濃度を適正な値に希釈するようにしている。但し、β量は、従来のように各製氷水タンク毎に個別に給水を行なう場合に余分に供給する量より若干多い量であって、自動製氷機全体としてβ量の製氷水(余剰水)のみが最下段の製氷水タンク２０,２０から機外に排出される。
【００２２】
前記本体１０の下部には、前後両列の製氷機構１２,１２から排出される余剰水を受容するドレンパン４０が配設され、該ドレンパン４０に集水された余剰水は、図示しない排水管を介して機外に排出されるよう構成される。このドレンパン４０の容量は、自動製氷機から排出される前記β量の余剰水が溢れることのない値に設定される。
【００２３】
〔実施例１の作用〕
次に、実施例１に係る自動製氷機の作用につき、給水方法との関係について説明する。
【００２４】
前記各製氷機構１２の製氷水タンク２０に規定量の製氷水が貯留されている状態において、製氷運転が開始されると、冷凍装置が運転を開始し、各製氷機構１２の蒸発管１４に冷媒が循環供給されて製氷部１６が冷却される。また各製氷水タンク２０に貯留されている製氷水が、循環ポンプによって散水パイプ２２に供給され、更に散水パイプ２２の各噴射孔および氷塊案内板２４のスリットを介して製氷部１６の各製氷小室１６ａ内に所定圧で噴射供給される。従って散水パイプ２２から噴射された製氷水は、この製氷小室１６ａに接触して冷却された後に順次氷結することで、該小室内で氷塊Ｍとなる。なお、製氷小室１６ａで氷結しない未氷結水は、前記氷塊案内板２４のスリットを介して製氷水タンク２０に戻されて再循環に供される。
【００２５】
氷塊Ｍの生成完了を適宜の検知手段で検知すると、散水パイプ２２からの製氷水の噴射が停止し、これと適宜タイミングで連動して前記冷凍装置に配設されたホットガス弁が切換えられて除氷運転に移行する。すなわち、蒸発管１４にホットガスが循環供給され、該蒸発管１４を介して製氷小室１６ａが加熱され、製氷小室内に氷結した氷塊Ｍは、小室壁面との氷結部分が融解して自重落下する。この氷塊Ｍは、前記氷塊案内板２４の上面を滑落し、前記シャッター２８を押し開いて氷放出口２６から貯氷庫に順次貯留される。
【００２６】
前記除氷運転に移行した際には、前記給水弁ＷＶが開放し、給水管３６を介して水道水が分岐管３８に供給される。分岐管３８の直線部３８ａに流入した水道水は、両分岐部３８ｂ,３８ｂで分かれて、前後各列における最上段の製氷水タンク２０,２０に供給される。前述したように、分岐管３８における分岐部３８ｂ,３８ｂの内側接続部が鋭角となっているから、両分岐部３８ｂ,３８ｂには均等に水道水が分かれ、最上段の両製氷水タンク２０,２０には水道水が均等に供給される。すなわち、前後各列の製氷機構群に対して均等に水道水を供給し得るから、バランスが崩れて一方の列に対する水道水の供給量が少なくなることで、該列の全ての製氷水タンク２０に規定量の水道水が供給できなくなるのは防止される。また、バランスが崩れることを見越して、余分に水道水を供給する必要もないので、給水量が増えてランニングコストが嵩むのも抑制し得る。
【００２７】
前記最上段の製氷水タンク２０に水道水が供給されると、製氷運転の完了時に残留している製氷水と混合することにより不純物濃度が希釈されつつ水位が上昇し、オーバーフロー管３０を介して余剰水が排出される。この余剰水は、供給管３２を介して２段目の製氷水タンク２０に供給され、該余剰水が製氷水タンク中の製氷残水と混合することにより不純物濃度が希釈されつつ水位が上昇し、オーバーフロー管３０を介して余剰水が排出される。そして、同様にして２段目から３段目の製氷水タンク２０に余剰水が供給され、次いで最下段の製氷水タンク２０に余剰水が供給される。このように、最上段の製氷水タンク２０に供給された水道水が、供給管３２を介して順次下段側の製氷水タンク２０に供給されるから、各製氷機構毎に水道水の供給経路を設ける必要はない。しかも、供給管３２が、製氷水タンク２０からの余剰水の排出経路を兼用しているから、別途製氷機構毎に排出経路を設ける必要もなく、構成を簡略化して製造コストを低廉に抑えることができる。
【００２８】
また、最上段から３段目(最下段の１段上)の製氷水タンク２０までは、最下段の製氷水タンク２０に規定量の製氷水が貯留されるまで水道水(余剰水)が供給され続けるから、規定量で貯留される製氷水中の不純物濃度は充分に低くなる。そして、最下段の製氷水タンク２０についても、前述したように規定量を越えて余分に水道水(余剰水)が供給されるようにしてあるから、該製氷水タンク２０に貯留される製氷水中の不純物濃度も充分に低くなる。すなわち、従来のように各製氷水タンク毎に余分に水道水を供給することで不純物濃度を下げる場合に比べ、実施例１では、最下段の製氷水タンク２０における製氷水の不純物濃度が充分に低下するだけの余分な水道水を供給するだけでよく、無駄に排出される水道水を低減し得る。言い替えるなら、自動製氷機に供給される水道水の量を低減でき、ランニングコストを低廉に抑えることができる。そして、各製氷機構１２の製氷水タンク２０中の製氷水の不純物濃度は充分に低下しているから、次の製氷運転に際して各製氷機構１２で生成される氷塊Ｍが白濁することはなく、高品質の氷塊Ｍを製造し得る。
【００２９】
前記最下段の製氷水タンク２０から供給管３２を介して排出される余剰水は、前記ドレンパン４０に受容され、該ドレンパン４０から排水管を介して機外に排出される。このドレンパン４０は、２つの製氷水タンク２０,２０から排出される余剰水のみを受容し得る容量であればよく、小型化してコストの低減に寄与し得る。
【００３０】
〔実験例について〕
２列×４段で合計８つの製氷機構１２を備える自動製氷機において、実施例１のように、上段から下段側の製氷水タンク２０に順に水道水(余剰水)を供給する場合と、各製氷機構毎に水道水を供給する従来例の場合につき、総排水量を比較した。なお、共通の条件として、製氷水タンク２０の規定量が２リットル、製氷運転により氷塊Ｍが生成されることで減少する製氷水の量が０.７５リットルとした。また実施例１において、最下段の製氷水タンク２０に貯留される製氷水の不純物濃度が適正な値まで低減するのに必要な総給水量を１０.２リットルとし、従来例においては、製氷水タンク２０に貯留される製氷水の不純物濃度が適正な値まで低減するのに必要な各給水量が２.５５リットルであるから、その総給水量を２０.４(２.５５×８)リットルとした。
【００３１】
実施例１の場合は、前記分岐管３８に１０.２リットルの水道水を供給すると、該分岐管３８により前後各列の最上段の製氷水タンク２０には、５.１リットルの水道水が夫々供給される。この内、製氷により減った０.７５リットルだけ該製氷水タンク２０に補充され、残りの４.３５リットルの水道水(余剰水)が、２段目の製氷水タンク２０に供給される。同様に、２段目の製氷水タンク２０に０.７５リットルだけ補充され、残りの３.６リットルの水道水(余剰水)が、３段目の製氷水タンク２０に供給され、この製氷水タンク２０にも０.７５リットルだけ補充され、残りの２.８５リットルの水道水(余剰水)が、最下段の製氷水タンク２０に供給される。そして、最下段の製氷水タンク２０にも０.７５リットルだけ補充され、残りの２.１リットルの水道水(余剰水)がドレンパン４０に排出される。このように、最下段の製氷水タンク２０から２.１リットルの余剰水が排出されることで、残った製氷水の不純物濃度が適正な値まで低減する。
【００３２】
前述したように、実施例１の構成では、前後最下段の２つの製氷水タンク２０,２０から余剰水が２.１リットルづつ排出され、その総排水量は４.２リットルとなるから、総給水量に対して約４１％となる。
【００３３】
これに対し、従来例の場合は、各製氷機構の製氷水タンクへ２.５５リットルの水道水が供給され、該製氷水タンクに０.７５リットルだけ補充され、残りの１.８リットルの水道水が排出される。そして、製氷水タンクから１.８リットルの水道水が排出されることで、残った製氷水の不純物濃度が適正な値まで低減する。
【００３４】
すなわち、従来例の総排水量は、８×１.８＝１４.４リットルであり、総給水量に対して約７１％となる。
【００３５】
前述したように、総給水量に対する総排水量の割合は、従来例が約７１％であるのに対し、実施例１が約４１％であり、大幅な節水を図り得ることが確認された。また、総給水量に対して氷塊Ｍとなる換氷率についても比較すると、従来例の換氷率は、(０.７５ｋｇ×８)／２０.４Ｌ≒２９％であるのに対し、実施例１の換氷率は、(０.７５ｋｇ×８)／１０.２Ｌ≒５９％であり、換氷率についても実施例１は効率のよいものであることが確認された。
【実施例２】
【００３６】
図４は、実施例２に係る自動製氷機の要部を示すものであって、その基本的な構成は実施例１と同一であるので、異なる部分についてのみ説明する。すなわち、オーバーフロー管３０に連通接続する供給管３２における水出口３２ａを、下段の製氷水タンク２０におけるオーバーフロー管３０の上部開口位置より下方で、タンク内部底面近傍に臨むように配置している。この構成により、上段の製氷水タンク２０からオーバーフローした余剰水が、供給管３２の水出口３２ａから吐出される際に、その流れ(吐出圧)によってタンク内部底面に溜っている不純物を撹拌し、不純物を水面付近に吹き上げることで、オーバーフロー管３０から効率的に排出することができる。従って、製氷水における不純物濃度の希釈を効率的に行なうことが可能となる。なお、実施例２は、前記実施例１の作用効果を奏することは勿論である。
【００３７】
〔変更例〕
本願は前述した各実施例の構成に限定されるものでなく、その他の構成を適宜に採用することができる。
１． 本体に配設される製氷機構の数は、実施例１に限定されるものではなく、少なくとも上下２段以上で配設されるものであればよく、また各製氷機構の配設姿勢についても前後に限定されない。
２． 実施例１では、前後各列に１つの給水弁から水道水を供給するよう構成したが、各列毎に異なる給水弁から水道水を供給する構成を採用し得る。
３． オーバーフロー手段は、実施例１に示すオーバーフロー管に限定されず、製氷水タンクに所定量(規定量)を超えて供給される製氷水を排出し得るものであれば、例えば製氷水タンクに設けた貯留部と堰を隔てて排出部を設け、堰を越えて排出部に流入した余剰水を供給管を介して下段の製氷水タンクに供給する構成等、その他の手段を採用することができる。
４． 実施例１では、製氷機構としてオープンセル方式の場合で説明したが、製氷機構としては、クローズドセル方式、流下方式等、製氷運転の完了時に製氷水タンクに残留している製氷水を全て排出しない、その他各種の製氷方式を採用することができる。
【図面の簡単な説明】
【００３８】
【図１】本発明の好適な実施例１に係る自動製氷機を示す概略構成図である。
【図２】実施例１に係る製氷機構を示す概略構成図である。
【図３】実施例１に係る分岐管を示す要部断面図である。
【図４】実施施２に係る自動製氷機の要部を示す概略構成図である。
【符号の説明】
【００３９】
１２ 製氷機構，２０ 製氷水タンク，３０ オーバーフロー管(オーバーフロー手段)
３２ 供給管，３２ａ 水出口
【図１】
2007046874.tif 000003
【図２】
2007046874.tif 000004
【図３】
2007046874.tif 000005
【図４】
2007046874.tif 000006